(57)【特許請求の範囲】
【請求項１】
既存ペーパーホルダーへの機能付加部品であり、回転自在の押えローラー（Ｂ）と天秤可動の波型天秤プレート（Ｃ）とが、左右一対の支持アーム（Ａ）の先端部にペーパー幅方向に並行して連結され、引き出すペーパーを挟持して抵抗を与える負荷制御装置の素材構成において、押えローラー（Ｂ）と波型天秤プレート（Ｃ）とのペーパー挟持構造体が磁力を有した素材で構成され、その二体が磁力によって常に圧接されていることを特徴とするロールペーパー負荷制御装置。
【請求項２】
前記の支持アーム（Ａ）に連結される天秤可動の波型天秤プレート（Ｂ）の断面形状において、連結支点位置（Ｈ）を含むペーパーロールに外接する弧が半円形状をなし、その半円形をペーパー引き出し方向へ反転させて所定の波形状とした事を特徴とする請求項１に記載するロールペーパー負荷制御装置。
【請求項３】
前記の天秤可動の波型天秤プレート（Ｃ）において、引き出しペーパー（Ｅ）の切断に係る引き下げ操作時に引き出しペーパー（Ｅ）との接触が開始される波型天秤プレート（Ｃ）面上の所定位置に、弾性摩擦素材からなる弾性滑り止め（Ｆ）を付設したことを特徴とする請求項１に記載するロールペーパー負荷制御装置。
【発明の詳細な説明】
【技術分野】
【０００１】
本発明は、既存のロールペーパーホルダーへの装着機能備品であり、ペーパー引き出し時にかかる抵抗負荷の制御機能に関する。
【背景技術】
【０００２】
ロールペーパーのミシン目加工においてはメーカーの開発サイド所見として、「ミシン目加工は商品付加価値として無いより有った方が良い」との声もあり、日常備品として広く使用されているトイレ及びキッチン用のロールペーパーの多くには、相当間隔をもってペーパー幅方向に並列して切断補助用のミシン目加工が入っている。
【０００３】
しかし、ペーパーの切断を容易に行う補助として付加されたミシン目であるが、そのペーパー破断に対するミシン目の連結抵抗力は切断補助目的より強めに設定されており、前記メーカーの開発関係者によると、「ペーパー平面に外力が均等に加えられる条件下において、そのペーパー張力に対抗するミシン目の連結抵抗力は使用時の不用意な操作によるペーパー切断を防ぐことに加え、製造時の巻き取り工程におけるペーパー破断への対応として、破断と抵抗との均衡値がペーパー張力の限界近くなっている」としている。
【０００４】
前項に上げたように、ミシン目加工が切断補助として施されているにも係らず、ペーパー張力の限界強度を維持する設定となっているため、ホルダーにセットされたロールペーパーを引き出して切断する際、ペーパーの引き出し操作に連動するロール回転を停止させる際には上述するミシン目の連結抵抗力に相応する制御力を要し、その回転制御機能をホルダー自体に内蔵する装置においては、新たなホルダー形状とサイズ等の変更を強いられる大掛かりな装置となり、ペーパー切断という単純行為における一般的価値観として費用対効果の対比考慮を踏まえた場合、空いた一方の手で押えて切断する安直な方法からは脱し難いといえる。
【０００５】
しかし、身体に障害がある人や一方の手が濡れ手で塞がっている条件下においては、ペーパー切断が片手操作で容易になせるペーパーホルダーが要求されるため、幾つかの利便機能が付加された技術考案が開示されている。
【特許文献１】実用登録第３０２３４７９号
【特許文献２】特開２００２−０６５５０３号
【特許文献３】実用登録第３０５１９８３号      これらの文献に開示されている内容は何れの場合も、利便機能を内蔵するペーパーホルダー自体の考案であり、片手操作のみに特化され特異性を有し、その機能を有する装置は大掛かりになりやすい要素を秘め、既存ペーパーホルダーへの付設部品としての転用が困難であり、一般日常用具としての凡庸性が不十分で健常者への忍耐を強いられることが懸念される。
【発明の開示】
【発明が解決しようとする課題】
【０００６】
そこで、ミシン目加工を本来の目的とする切断補助の範囲内で捉えた場合、既存設備への機能付加となる装着備品であることを前提に、常に一定の抵抗負荷をかけ続ける安定した抵抗構造と、引き出し操作の過程でその制御力の任意調整を可能とする二次機能とを備え、その重複機能による片手操作の結果としてペーパー切断が可能となることが望ましい。
この一定負荷を持続させる抵抗構造における安定負荷機能は、ペーパー引き出し操作上の不可欠な基本機能といえるものであり、その安定負荷機能なくしてはペーパー接断に係る装置の任意操作による有効活用は不可能となる。
【０００７】
既存設備への利便付加部品で安定負荷を生み出す機能構造体の基本条件として、安価で安全であることに加えて特異性を求めず普遍的であって既存品への装着付設が容易であることが上げられ、構造が単純で故障破損が少なく無作為な使用に耐え得る生活備品であることを求められる。
よって、その基本条件を備えるペーパー引き出し負荷制御装置を提供する。
【課題を解決するための手段】
【０００８】
既存のロールペーパーホルダー（以下、「既存ホルダー」と言う）への追加付設を可能とし、引き出しペーパーへの負荷機能を有する構造体のロールペーパー負荷制御装置（以下、「本ペーパー負荷制御装置」という）は、左右一対の支持アームＡで既存ホルダーの左右両内壁、または、既存ホルダーの両椀体及び本体正面へ半径可動自在に付設される装着機能備品であり、その既存ホルダーへの取り付け有効位置の設定範囲として、半径可動する支持アームＡ先端部の波型天秤プレートＣとの連結点Ｈの軌道Ｒが、使用に伴い順次縮小変化するペーパーロールの支持軸Ｊを外さない範囲の位置とすることが、本ペーパー負荷制御装置の機能を最後まで失わない基本条件となる。
【０００９】
本ペーパー負荷制御装置は、既存ホルダーへの取り付けプレートとなる連結部品との接続を容易とするため、左右の支持アームＡの一端をリング状、若しくはフック状として、既存ホルダーへの接続部を基点に半径可動に取り付けられ、その左右一対の支持アームＡの先端部に、ペーパーロールと接触する断面が所定の曲線形状からなる波型天秤プレートＣを天秤可動自在に連結され、それに続く手前に押えローラーＢが回転自在に所定の間隔を有し、何れもペーパー幅方向に同等幅で並列に設置され連結されている。
その波型天秤プレートＣと押えローラーＢ（以上、「挟持体」という）の隔離位置の設定は、波型天秤プレートＣの自由可動時に生じる押えローラーＢとの最大間隔がペーパーの自由通過を妨げない所定の位置とし、その挟持構造体として備えられた挟持二体の間に、ロールペーパーから取り出すペーパーを挟持介在させることでペーパー引き出し時に相応の抵抗負荷を得られ、ペーパー引き出し時の任意操作でその制御を可能とする装置構造体となる。図１参照  
【００１０】
請求項１に記載するように本ペーパー負荷制御装置において、引き出しペーパーＥの挟持機能を有する挟持二体を常に磁力による圧接状態とし、その間に挟持されたペーパーへの一定負荷状態を維持させるため、本ペーパー制御装置の素材構成として挟持体の双方あるいはその何れかに磁力素材を用い構造とし、一方のみに磁力を有する素材とした場合は相対する接触面に強磁性を有する素材を用いた構成とすることで、その間に挟持されるペーパーは磁力によって安定した抵抗負荷を受け続けることになる。
【００１１】
上述する挟持体による負荷機能によってペーパーロールＤの空転が任意操作によって抑制されることに加え、使用諸条件によって異なるペーパー張力に対応する挟持抵抗力など、制御機能として予め要求される負荷強弱への適応範囲も磁力素材や接触面積の設定により可能となり、使用後の切り残りペーパーＥが固定されて摘まみ代確保の効果を併せ持つことにもなり、ロールペーパー使用における複合ニ次機能が活用可能となる。図１，２参照
【００１２】
本願の試作体仕様として、ペーパー幅に準ずる長さの押えローラーＢの素材構成を、磁力を有する樹脂製柔軟テープで螺旋状に被覆加工を施した回転体とし、相対する波型天秤プレートＣを木製加工とし、押えローラーＢとの接触部に極薄のスチール板を嵌め込み強磁面材とすることで、押さえローラーＢは磁力によってペーパーＥを圧接しつつその引き出し操作に連動して回転をなし、双方に挟持されたペーパーＥは常に安定した抵抗負荷を受けて通過することになる。
【００１３】
また、回転自在の押えローラーＢを樹脂製磁力テープで被膜加工して磁力体とする事により、挟持されたペーパー面が万遍なく圧接される条件を生み出し、ペーパーへの抵抗負荷の増減は押えローラーＢと相対して接触する強磁性素材によって左右されるため、その素材選択と表面加工形状の設定により負荷制御能力の調整がなされ、様々な使用諸条件への対処及び機能対応が可能となる。
【００１４】
請求項２に記載する波型天秤プレートＣにおけるその断面形状は、支持アームＡとの連結点Ｈを含む弧の外面がペーパーロールに外接する半円径をなし、それに続く引き出し側へその半円形を反転させて緩やかな曲線をなす所定の波形状とし、連結点Ｈを支点に天秤可動をなす波型天秤プレートＣ上の一方は押えローラーＢと磁力によって圧接しており、引き出しペーパーＥを下方向へ引き下げた切断操作時に、波型天秤プレートＣの連結点Ｈを支点とする梃子作用で一方を押し上げ、接触している押えローラーＢへの圧接力を更に高め、その間に挟持されている引き出しペーパーＥへの抵抗が強まり引き出し操作に係る負荷が増加されると同時に、その梃子支点となる支持アームＡとの連結点Ｈを含む所定の波形状の弧によって、ペーパーロール本体Ｄが押圧されてペーパーロールＤの回転自体が制御される。図１，２，３参照
【００１５】
請求項３に記載するように、引き出しペーパーＥを下方へ引き下げた切断操作時のペーパーＥとの新たな接触面となる波型天秤プレートＣ上に、摩擦素材からなる弾性滑り止めＦを付設し、一連の引き出しペーパーＥに対する抵抗負荷のなかで、その弾性滑り止めＦによる抵抗負荷が最大値となるように、波型天秤プレートＣと弾性滑り止めＦとの形状及び素材構成などの負荷に絡む諸条件の整備を行うことで、ミシン目切断が最も抵抗値の高い波型天秤プレートＣ上の弾性滑り止めＦ位置より手前側でなされることになり、その結果として常に切り残りペーパーに摘まみ代を残す利便機能が付加される。図１，２参照
【発明の効果】
【００１６】
本ペーパー負荷制御装置は、その構成素材の特性及び形状等によってペーパー張力への対応と安定負荷の制御力設定が可能であり、ロール状のトイレット及びキッチン用ペーパーホルダーへの機能追加はもとより、ロールペーパーウェス等の業務用既存ホルダーへの切断補助としても、既成ホルダーへの装着備品としての付設を促進する基本構造と機能を備えており、その構造特性による片手操作のペーパー接断に加え、本ペーパー負荷制御装置を補助部品とした場合であっても条件を問わず利便効果を発揮する。
【００１７】
また、本ペーパー負荷制御装置は、支持回転軸が水平でロールペーパーを水平使用する場合に限らず、支持回転軸が垂直や斜め方向であってもその磁力特性により、あらゆる状況下の既存ホルダー付設装備時においても安定した挟持負荷力を発揮し、単純構造のため安価で凡庸性を有する機能構造によって、介護や育児及び医療現場等においても日常生活の補助備品として、その利便性と安全性能を評価され社会貢献が期待される。
【発明を実施するための最良の形態】
【００１８】
本ペーパー負荷制御装置素材については、支持アームＡと押えローラーＢとを構成する素材及び形状において、波型天秤プレートＣの梃子作用に耐え得る剛性及び形状と連結強度が要求される。
尚、波型天秤プレートＣを構成する素材においては、形状加工と付属部材の装備加工等が容易であることなどが適正条件として上げられる。
【００１９】
図１に示す、波型天秤プレートＣの長手方向の中間位置に設けるペーパーロールとの空間形状は、ペーパー引き下げ操作によるミシン目切断が波型天秤プレートＣの滑り止めＦ上の位置（頻度は希少と予想される）で行われた場合であっても、残りペーパーの摘まみ空間として有効であり、本ペーパー負荷制御装置の安定使用における形状的補助構造といえる。図１参照
【図面の簡単な説明】
【００２０】
【図１】本ペーパー負荷制御装置の姿図
【図２】本ペーパー負荷制御装置の機能作動図
【図３】本ペーパー負荷制御装置の付設作動図
【符号の説明】
【００２１】
Ａ  支持アーム
Ｂ  押さえローラー
Ｃ  波型天秤プレート
Ｄ  ペーパーロール
Ｅ  引き出しペーパー
Ｆ  弾性滑り止め  
Ｇ  ペーパー動向
Ｈ  波型天秤プレートＣの連結支点
Ｊ  ペーパーロールＤの支持軸
Ｒ  支時アームＡの半径先端軌道
【要約】      （修正有）【課題】既存ホルダーへの機能付加備品としてロールペーパーの引き出し時に、常に一定の安定した負荷を与え更に任意操作によってその制御を可能としたロールペーパー負荷制御装置の提供。【解決手段】既存ペーパーホルダーへ半径可動に接続された支持アームＡの先端部に、天秤可動自在に連結された波型天秤プレートと、磁力を有する素材構成からなる押さえローラーＢとが回転自在に連結され、その間に引き出すペーパーＥを挟持介在させ磁力による圧接条件を常に維持し挟持ペーパーへの負荷を与えつつ、ペーパー引き下げ時に生じる波型天秤プレートの天秤作用によって、波型天秤プレートの一方が天秤形状の梃子作用でその押さえローラーＢを下から押し上げ、挟持されたペーパーへの更なる押圧を加えることになり、片手での任意操作によるペーパー引き出し時の負荷制御が可能となり、ミシン目活用のペーパー接断とその補助機能が発揮される。【選択図】図３【図１】
0004234774.tif 000002
【図２】
0004234774.tif 000003
【図３】
0004234774.tif 000004